(57)【特許請求の範囲】
【請求項１】
上に位置する容器の支脚が、下に位置する容器のポケットに挿入されて、上に位置する容器が、下に位置する容器に嵌め込まれる、所謂、ネスティングされるように構成された運搬用容器において、ポケットには、ポケットの底部を全面に亘たって削除することにより、ポケットが底無しとなるように、底部開口が形成されており、３つの容器をネスティングした際には、真ん中の容器のポケットに挿入された一番上の容器の支脚の下面が、一番下に位置する容器のフランジ上に、直に、載置されるように構成されている特徴とする運搬用容器。
【請求項２】
ポケットに隣接した側壁に、支脚の寄せリブが挿入可能な側部開口が、底部開口に連続して形成されていることを特徴とする請求項１に記載の運搬用容器。
【発明の詳細な説明】
【０００１】
【発明の属する技術分野】
本発明は、空の運搬用容器（以下、運搬用容器を、単に、「容器」ともいう。）を積み重ねる際には、上に位置する容器のほぼ半分が、下に位置する容器に嵌め込まれ、所謂、ネスティングされ、また、内容物が収納された容器を積み重ねる際には、上に位置する容器が、下に位置する容器のフランジに載置されて、嵌め込まれないように積み重ねる、所謂、スタッキングされることが可能な容器に関するものである。
【０００２】
【従来の技術】
図４及び図５を用いて、従来の運搬用容器について説明する。
【０００３】
容器は、底部１、外側にやや傾斜した相対する長辺側の側壁２ａ、２ｂ（以下、単に、「長側壁」という。）及び同じく外側にやや傾斜した相対する短辺側の側壁２ｃ、２ｄ（以下、単に、「短側壁」という。）とから構成されている。３は、容器の開口部を取り囲むように、長側壁２ａ、２ｂ及び短側壁２ｃ、２ｄの上端から外側水平方向に延設されたフランジ３である。４ａは、長側壁２ａ、２ｂ及び短側壁２ｃ、２ｄの中程に形成された中間水平リブであり、４ｂは、フランジ３と中間水平リブ４ａの間に形成された上部水平リブであり、４ｃは、フランジ３、中間水平リブ４ａ及び上部水平リブ４ｂを、適宜、連結する垂直リブである。
【０００４】
ｐ１は、フランジ３から底部１に向かって、長側壁２ａ、２ｂの一方の隅部寄りの内壁に形成された縦長の凹部からなるポケットであり、容器の略半分の深さを有している。ｃ１は、ポケットｐ１と適当な間隙を置いて或いはポケットｐ１に隣接して、ポケットｐ１より、容器の中央部寄りの長側壁２ａ、２ｂの外壁に形成された支脚であり、支脚ｃ１は、中間水平リブ４ａから底部１付近まで延びるように形成されている。上記のポケットｐ１の内幅は、上記の支脚ｃ１の外幅より広く形成されている。以下、このような、幅広のポケットｐ１と幅狭の支脚ｃ１との組み合わせを幅広ポケット・支脚部Ｓ１と称されている。
【０００５】
ｃ２は、長側壁２ａ、２ｂのもう一方の隅部寄りの外壁に形成された、上述した支脚ｃ１より、幅広の支脚であり、支脚ｃ２は、中間水平リブ４ａから底部１付近まで延びるように形成されている。ｐ２は、支脚ｃ２と適当な間隙を置いて或いは支脚ｃ２に隣接して、支脚ｃ２より、容器の中央部寄りの長側壁２ａ、２ｂの内壁に形成された縦長の凹部からなるポケットであり、容器の略半分の深さを有しており、該ポケットｐ２は、幅広ポケット・支脚部Ｓ１のポケットｐ１の内幅より狭い内幅を有している。以下、このような、幅広の支脚ｃ２と幅狭のポケットｐ２との組み合わせを幅広支脚・ポケット部Ｓ２と称する。なお、支脚ｃ１、ｃ２の下面には、支脚ｃ１、ｃ２の幅間隔でもって、下方に突起ｃ１’、ｃ２’が延設されており、この突起ｃ１’、ｃ２’は、スタッキングの際に、下に位置する容器内に挿入され、上に位置する容器の横移動を少なくするような機能を有するものであり、寄せリブと称する。
【０００６】
幅広ポケット・支脚部Ｓ１の幅狭の支脚ｃ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｃ１が、幅広支脚・ポケット部Ｓ２の幅狭のポケットｐ２に挿入できるように構成されている。また、幅広支脚・ポケット部Ｓ２の幅広の支脚ｃ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｃ２が、幅広ポケット・支脚部Ｓ１の幅広のポケットｐ１に挿入できるように構成されている。
【０００７】
上述した幅広ポケット・支脚部Ｓ１は、相対する長側壁２ａ、２ｂの一方の隅部付近に、互いに対向して配置されており、また、相対する長側壁２ａ、２ｂのもう一方の隅部付近には、互いに対向するように、幅広支脚・ポケット部Ｓ２が配置されている。また、相対する短側壁２ｃ、２ｄのうち、長側壁２ａ、２ｂに配置された幅広ポケット・支脚部Ｓ１に近い方の短側壁２ｃの隅部付近には、幅広支脚・ポケット部Ｓ２が配置されており、また、長側壁２ａ、２ｂに配置された幅広支脚・ポケット部Ｓ２に近い方の短側壁２ｄの隅部付近には、幅広ポケット・支脚部Ｓ１が配置されている。なお、図４及び図５に示されているように、長側壁２ａ、２ｂ及び短側壁２ｃ、２ｄの両方に、幅広ポケット・支脚部Ｓ１及び幅広支脚・ポケット部Ｓ２を配設することなく、長側壁２ａ、２ｂのみ、或いは、短側壁２ｃ、２ｄにのみ、幅広ポケット・支脚部Ｓ１及び幅広支脚・ポケット部Ｓ２を配設することもできる。
【０００８】
下に位置する容器と上に位置する容器とが、同じ向きになるように、即ち、下に位置する容器の幅広ポケット・支脚部Ｓ１の上方に、上に位置する容器の幅広ポケット・支脚部Ｓ１が位置し、また、下に位置する容器の幅広支脚・ポケット部Ｓ２の上方に、上に位置する容器の幅広支脚・ポケット部Ｓ２が位置するように、容器を積み重ねると、上に位置する容器の合計８本の支脚ｃ１、ｃ２が、フランジ３に載置されるので、下に位置する容器の上に、上に位置する容器がスタッキングされることになる。なお、スタッキングの際には、上に位置する容器の支脚ｃ１、ｃ２の寄せリブｃ１’、ｃ２’が、下に位置する容器内に挿入され、上に位置する容器の横移動を少なくするように構成されている。
【０００９】
また、スタッキング状態から、上に位置する容器を、平面的に、１８０度回転させて、下に位置する容器と上に位置する容器とが、異なる向きになるように、即ち、下に位置する容器の幅広ポケット・支脚部Ｓ１の上方に、上に位置する容器の幅広支脚・ポケット部Ｓ２が位置し、また、下に位置する容器の幅広支脚・ポケット部Ｓ２の上方に、上に位置する容器の幅広ポケット・支脚部Ｓ１が位置するように配置すると、下に位置する容器の幅広ポケット・支脚部Ｓ１の幅広のポケットｐ１に、上に位置する容器の幅広支脚・ポケット部Ｓ２の幅広の支脚ｃ２が、また、下に位置する幅広支脚・ポケット部Ｓ２の幅狭のポケットｐ２に、上に位置する幅広ポケット・支脚部Ｓ１の幅狭の支脚ｃ１が、それぞれ挿入されることになり、従って、上に位置する容器の略半分が、下に位置する容器の内部に嵌め込まれてネスティングされることになる。
【００１０】
なお、上述した、長側壁２ａ、２ｂ及び短側壁２ｃ、２ｄに配設された幅広ポケット・支脚部Ｓ１及び幅広支脚・ポケット部Ｓ２の配置は、上述した配置に限定されるものではなく、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、平面的に、１８０度回転させることにより、上に位置する容器の支脚が、下に位置する容器のポケットに挿入されて、上に位置する容器が、下に位置する容器に嵌め込まれる、所謂、ネスティングされるような配置であればどのような配置でもよい。
【００１１】
上述したネスティング際には、上に位置する容器のより多くの部分が、下に位置する容器内に収納されることが、多数の容器をネスティング状態で積み重ねた時に、ネスティング状態で積み重ねられた容器の全体の高さを、低く抑えることができ、容器の収納効率、即ち、ネスティング効率が上がることになる。
【００１２】
【発明が解決しようとする課題】
上述した従来の運搬用容器においては、ネスティング効率が十分といえず、容器の保管スペースの減少化が実現できなかったという問題があった。
【００１３】
本発明の目的は、上述した従来の運搬用容器が有する課題を解決するとともに、容器の洗浄時における水切れ等が改善された運搬用容器を提供することにある。
【００１４】
【課題を解決するための手段】
本発明は、上述した目的を達成するために、上に位置する容器の支脚が、下に位置する容器のポケットに挿入されて、上に位置する容器が、下に位置する容器に嵌め込まれる、所謂、ネスティングされるように構成された運搬用容器において、第１には、ポケットには、ポケットの底部を全面に亘たって削除することにより、ポケットが底無しとなるように、底部開口が形成されており、３つの容器をネスティングした際には、真ん中の容器のポケットに挿入された一番上の容器の支脚の下面が、一番下に位置する容器のフランジ上に、直に、載置されるように構成したものであり、第２には、ポケットに隣接した側壁に、支脚の寄せリブが挿入可能な側部開口を、底部開口に連続して形成したものである。
【００１５】
【実施例】
以下に、図１〜図３を用いて、本発明の実施例について説明するが、本発明の趣旨を越えない限り何ら、本実施例に限定されるものではない。なお、従来の運搬用容器と共通の構成については、同一の符号を使用した。
【００１６】
本発明においては、上述した従来の容器のポケットｐ１、ｐ２の底部ｐ１’、ｐ２’を、全面に亘たって削除して、底無しとなるように、底部開口１０を形成するとともに、ポケットｐ１、ｐ２の底部ｐ１’、ｐ２’に隣接した長側壁２ａ、２ｂ及び短側壁２ｃ、２ｄの側壁を、上記底部開口１０の幅１０ａと同じ幅に、少なくとも、寄せリブｃ１’、ｃ２’の高さ分だけ削除して、側部開口１１を形成したものである。
【００１７】
以下に、上述したように、ポケットｐ１、ｐ２に、底部開口１０及び該底部開口１０に接続した側部開口１１が形成された容器を、ネスティングした場合について説明する。なお、以下の説明においては、ポケットｐ１、ｐ２を、単に、ポケットｐとし、支脚ｃ１、ｃ２を、単に、支脚ｃとした。
【００１８】
１番下に位置する容器Ｂ１のポケットｐに、２番目の容器Ｂ２の支脚ｃを挿入すると、１番下に位置する容器Ｂ１のフランジ３上に、２番目の容器Ｂ２の中間水平リブ４ａが載置されてネスティングされることになるが、ポケットｐには、底部開口１０及び側部開口１１が形成されているので、２番目の容器Ｂ２のポケットｐ内には、１番下に位置する容器Ｂ１のフランジ３が位置している。
【００１９】
次いで、２番目に位置する容器Ｂ２のポケットｐに、３番目の容器Ｂ３の支脚ｃを挿入すると、３番目の容器Ｂ３の支脚ｃの下面ｃ”は、従来のように、ポケットｐ１、ｐ２の底部ｐ１’、ｐ２’に載置されることなく、１番目の容器Ｂ１のフランジ３に、直に、載置されることになるので、３番目の容器Ｂ３は、従来のポケットｐ１、ｐ２の底部ｐ１’、ｐ２’の厚み分だけ、より多く、２番目の容器Ｂ２に収納されることになり、ネスティング効率が上がることになる。また、３番目の容器Ｂ３の支脚ｃの寄せリブｃ’は、２番目の容器Ｂ２の側部開口１１内に位置するように構成されているので、３番目の容器Ｂ３の支脚ｃの寄せリブｃ’が、２番目の容器Ｂ２の長側壁２ａ、２ｂや短側壁２ｃ、２ｄの側壁に当接して、３番目の容器Ｂ３が持ち上がるようなことがなく、完全なネスティングが阻害されるようなことがない。
【００２０】
側部開口１１は、上述したように、支脚ｃの寄せリブｃ’が、長側壁２ａ、２ｂや短側壁２ｃ、２ｄの側壁に当接しないように形成されるものであるので、寄せリブｃ’が、細いリブで形成されている場合には、側部開口１１の幅１１ａを、必ずしも、底部開口１０の幅１０ａと同じに形成することなく、寄せリブｃ’が挿入可能な幅であればよい。また、支脚ｃに、寄せリブｃ’が形成されていない場合には、側部開口１１を形成する必要はなく、底部開口１０のみ形成すればよい。
【００２１】
また、本実施例においては、ポケットｐには、底無しとなるように、底部開口１０及び側部開口１１が形成されているので、容器を洗浄した際に、洗浄水は、底部開口１０及び側部開口１１から排出され、ポケットｐに洗浄水が溜まるようなことがなく、従って、洗浄水の水切れがよくなる。
【００２２】
【発明の効果】
本発明は、以上説明したような構成を有するので、以下に記載する効果を奏するものである。
【００２３】
ポケットには、ポケットが底無しとなるように、底部開口が形成されているので、ネスティング効率が向上する。
【００２４】
ポケットには、ポケットが底無しとなるように、底部開口が形成されているので、ポケットに洗浄水が溜まるようなことがなく、従って、洗浄水の水切れがよくなる。
【図面の簡単な説明】
【図１】図１は本発明の運搬用容器の斜視図である。
【図２】図２は本発明の運搬用容器の要部拡大斜視図である。
【図３】図３は本発明の３つの運搬用容器がネスティングされた状態のポケット及び支脚を含む垂直断面図である。
【図４】図４は従来の運搬用容器の斜視図である。
【図５】図５は従来の運搬用容器の平面図である。
【符号の説明】
Ｓ１・・・・・・・幅広ポケット・支脚部
Ｓ２・・・・・・・幅広支脚・ポケット部
ｃ１、ｃ２・・・・支脚
ｐ１、ｐ２・・・・ポケット
１・・・・・・・・底部
２ａ、２ｂ・・・・長側壁
２ｃ、２ｄ・・・・短側壁
３・・・・・・・・フランジ
１０・・・・・・・底部開口
１１・・・・・・・側部開口
【図１】
0003860924.tif 000002
【図２】
0003860924.tif 000003
【図３】
0003860924.tif 000004
【図４】
0003860924.tif 000005
【図５】
0003860924.tif 000006